(57)【要約】【課題】むつ全体を容易に上げ下げでき、また、着用中のズレ落ちが生じにくいパンツ型使い捨ておむつを提供すること。【解決手段】背側のウエスト端縁１５Ｂから幅が最小値を示す部位Ｈまでの長さＬｂと、腹側のウエスト端縁１５Ａから該部位Ｈまでの長さＬａとの比（Ｌｂ／Ｌａ）が１．４〜２．０であり、吸収体の両側部に切込部４１，４１が形成され、ウエスト弾性部材５１，５２が配されたウエスト回り環状弾性領域、前身頃湾曲弾性部材７１及び後身頃湾曲弾性部材７２が配された胴回り湾曲環状弾性領域、前身頃第２弾性部材８１及び後身頃第２弾性部材８２が配された胴回り第２環状弾性領域、及びレッグ弾性部材６１，６２が配された脚回り環状弾性領域を、各々自然状態から１．５倍の長さまで伸長させたときの引張荷重が、順に４Ｎ以下、２Ｎ以下、３Ｎ以下、２Ｎ以下であり、吸収体４の切込部４１，４１が自然状態において閉じるようになされている。【選択図】図２
2007195738.tif 000002
【特許請求の範囲】
【請求項１】
表面シート、裏面シート及びこれら両シート間に配置された液保持性の吸収体を備え、腹側領域、背側領域及びこれらの間に位置する股下領域を有し、ウエスト開口部及び一対のレッグ開口部が形成されているパンツ型の使い捨ておむつであって、
前記背側領域側のウエスト端縁から前記股下領域の幅が最小値を示す部位までの長さＬｂと、前記腹側領域側のウエスト端縁から前記股下領域の幅が最小値を示す部位までの長さＬａとの比（Ｌｂ／Ｌａ）が１．４〜２．０であり、前記吸収体の長手方向の両側部に切込部が形成されており、
前身頃及び後身頃それぞれのウエスト端縁の近傍に、おむつ幅方向に沿ってウエスト弾性部材が配されており、
前身頃及び後身頃それぞれのウエスト弾性部材よりもおむつ幅方向中心線側に、おむつ幅方向の両端部におけるよりもおむつ幅方向中央部側においておむつ幅方向中心線に近づくように、それぞれ湾曲させて、前身頃湾曲弾性部材及び後身頃湾曲弾性部材が配されており、該前身頃湾曲弾性部材と該後身頃湾曲弾性部材とは、おむつ幅方向中央部付近における相互の最近接部においてもおむつ長手方向に５０ｍｍ以上離間しており、
前身頃におけるウエスト弾性部材と前身頃湾曲弾性部材との間及び後身頃におけるウエスト弾性部材と後身頃湾曲弾性部材との間に、前身頃第２弾性部材及び後身頃第２弾性部材が、おむつ幅方向に沿って配されており、
脚周りに配される左右のレッグ部それぞれにレッグ弾性部材が配されており、
使い捨ておむつにおける、前記前身頃及び後身頃の両ウエスト弾性部材が配されたウエスト回り環状弾性領域、前記前身頃湾曲弾性部材及び前記後身頃湾曲弾性部材が配された胴回り湾曲環状弾性領域、前記前身頃第２弾性部材及び前記後身頃第２弾性部材が配された胴回り第２環状弾性領域、及び前記レッグ弾性部材が配された脚回り環状弾性領域を、それぞれ、自然状態から１．５倍の長さまで伸長させたときの引張荷重が、順に４Ｎ以下、２Ｎ以下、３Ｎ以下、２Ｎ以下であり、
前記吸収体の前記切込部が、自然状態において閉じるようになされている、パンツ型使い捨ておむつ。
【請求項２】
ウエスト回り環状弾性領域の前記引張荷重（１）、胴回り湾曲環状弾性領域の前記引張荷重（２）、胴回り第２環状弾性領域の前記引張荷重（３）、及び脚回り環状弾性領域の前記引張荷重（４）が、下記式に示す関係を満たす、請求項１記載のパンツ型使い捨ておむつ。
（１）＞（３）＞（２）≧（４）
【請求項３】
前記後身頃湾曲弾性部材のおむつ長手方向の最大変位距離が、前記前身頃湾曲弾性部材のおむつ長手方向の最大変位距離よりも大きい請求項１又は２記載のパンツ型使い捨ておむつ。
【請求項４】
前記前身頃湾曲弾性部材、前記後身頃湾曲弾性部材及び前記レッグ弾性部材が、前記吸収体の幅方向中央部と重なる部分に、存在しないか又は、該吸収体の幅方向中央部と重なる部分においては収縮力を発現しないようにされている１〜３の何れかに記載のパンツ型使い捨ておむつ。
【請求項５】
前記吸収体の切込部は、おむつ長手方向に延びる直線に対するその中心線の角度が０〜７５°である請求項１〜４の何れかに記載のパンツ型使い捨ておむつ。
【請求項６】
前記吸収体は２層以上の吸収材からなり、第１吸収材と第１吸収材より肌当接面側に位置する第２吸収材とを具備し、第１吸収材と第２吸収材は、それぞれ、長手方向の両側部に層切込部を有し、且つ第１吸収材の層切込部と第２吸収材の層切込部とがそれぞれの少なくとも一部において重なって、前記切込部を形成しており、該切込部の縁部から該縁部に直行する方向の吸収体内部方向に向かって吸収材の層数が増加するようにされていることを特徴とする１〜５の何れかに記載のパンツ型使い捨ておむつ。
【発明の詳細な説明】
【技術分野】
【０００１】
本発明は、パンツ型の使い捨ておむつに関する。
【背景技術】
【０００２】
筋力の低下した高齢者にとってパンツ型の使い捨ておむつの引き上げ、特に入浴後等の湿潤時の引き上げは、大変な労力を伴うものであり、その改善が求められている。
また、高齢者、特に女性の高齢者においては、加齢に伴って著しい腹囲の増大が見られる。そのため、従来の大人用のパンツ型の使い捨ておむつは、着用者の腹部ないし下腹部回りにきつさを感じさせ易いという問題があった。
【０００３】
前身頃に配する弾性部材の配置形状を工夫したパンツ型の使い捨ておむつとして、特許文献１には、前身頃及び後身頃に、おむつ幅方向の両端部よりもおむつ幅方向中央部側において股下側に近づくように、それぞれ湾曲させた、前身頃持ち上げ弾性部材及び後身頃持ち上げ弾性部材を設けたものが記載されている。
【０００４】
また、特許文献２には、弾性材が前後方向中心へ向けて斜めに添設されてなるパンツ型の使い捨ておむつが記載され、特許文献３には、胴回り弾性部材の少なくとも１本は股下部側に変位した形状に配置されているパンツ型の使い捨ておむつが記載されている。
【０００５】
【特許文献１】特開平１０−１２７６８７号公報
【特許文献２】実開平６−４２１号公報
【特許文献３】特開平９−９９００６号公報
【発明の開示】
【発明が解決しようとする課題】
【０００６】
しかし、特許文献１記載のおむつは、前身頃の腹部相当箇所に、腹部弾性伸縮部材がおむつ幅方向に配されており、前身頃持ち上げ弾性部材とこの腹部弾性伸縮部材とが交差して互いの収縮力が干渉し合うため、前身頃を持っておむつを引き上げる際に、その引き上げ力が後身頃持ち上げ弾性部材に十分伝わらない。そのため、おむつの引き上げ性が良好ではない。また、特許文献１記載のおむつは、後身頃持ち上げ弾性部材のおむつ長手方向の最大変位距離が前身頃持ち上げ弾性部材のおむつ長手方向の最大変位距離よりも大きくなされておらず、おむつの引き上げ力が後身頃持ち上げ弾性部材に十分に伝わらないため、この点からも、おむつの引き上げ性が良好ではない。
また、特許文献２の斜めの弾性部材や特許文献３記載の湾曲した弾性部材によっても、おむつの引き上げ性を向上させることはできない。
おむつの引き上げ性を向上させるために、上記弾性部材の応力を下げる方法があるが、ただ下げただけでは、おむつがズレ落ちてしまい、漏れの原因につながる。
【０００７】
従って、本発明の目的は、おむつ全体を容易に上げ下げでき、また、着用中のズレ落ちが生じにくいパンツ型使い捨ておむつを提供することにある。
【課題を解決するための手段】
【０００８】
本発明は、表面シート、裏面シート及びこれら両シート間に配置された液保持性の吸収体を備え、腹側領域、背側領域及びこれらの間に位置する股下領域を有し、ウエスト開口部及び一対のレッグ開口部が形成されているパンツ型の使い捨ておむつであって、前記背側領域側のウエスト端縁から前記股下領域の幅が最小値を示す部位までの長さＬｂと、前記腹側領域側のウエスト端縁から前記股下領域の幅が最小値を示す部位までの長さＬａとの比（Ｌｂ／Ｌａ）が１．４〜２．０であり、前記吸収体の長手方向の両側部に切込部が形成されており、前身頃及び後身頃それぞれのウエスト端縁の近傍に、おむつ幅方向に沿ってウエスト弾性部材が配されており、前身頃及び後身頃それぞれのウエスト弾性部材よりもおむつ幅方向中心線側に、おむつ幅方向の両端部におけるよりもおむつ幅方向中央部側においておむつ幅方向中心線に近づくように、それぞれ湾曲させて、前身頃湾曲弾性部材及び後身頃湾曲弾性部材が配されており、該前身頃湾曲弾性部材と該後身頃湾曲弾性部材とは、おむつ幅方向中央部付近における相互の最近接部においてもおむつ長手方向に５０ｍｍ以上離間しており、前身頃におけるウエスト弾性部材と前身頃湾曲弾性部材との間及び後身頃におけるウエスト弾性部材と後身頃湾曲弾性部材との間に、前身頃第２弾性部材及び後身頃第２弾性部材が、おむつ幅方向に沿って配されており、脚周りに配される左右のレッグ部それぞれにレッグ弾性部材が配されており、使い捨ておむつにおける、前記前身頃及び後身頃の両ウエスト弾性部材が配されたウエスト回り環状弾性領域、前記前身頃湾曲弾性部材及び前記後身頃湾曲弾性部材が配された胴回り湾曲環状弾性領域、前記前身頃第２弾性部材及び前記後身頃第２弾性部材が配された胴回り第２環状弾性領域、及び前記レッグ弾性部材が配された脚回り環状弾性領域を、それぞれ、自然状態から１．５倍の長さまで伸長させたときの引張荷重が、順に４Ｎ以下、２Ｎ以下、３Ｎ以下、２Ｎ以下であり、前記吸収体の前記切込部が、自然状態において閉じるようになされている、パンツ型使い捨ておむつを提供することにより前記目的を達成したものである。
【発明の効果】
【０００９】
本発明のパンツ型使い捨ておむつは、おむつ全体を容易に上げ下げでき、また、着用中のズレ落ちが生じにくい。
【発明を実施するための最良の形態】
【００１０】
以下、本発明をその好ましい実施形態に基づいて説明する。
本実施形態のパンツ型の使い捨ておむつ１（以下、おむつ１という）は、図１〜４に示すように、成人用のパンツ型使い捨ておむつであり、図４に示すように、液透過性の表面シート２、液不透過性（液難透過性を含む）又は撥水性の裏面シート３及び液保持性の吸収体４を備えている。
おむつ１は、図２に示すように、股下部に配される股下領域Ｃ並びにその前後に位置する腹側領域Ａ及び背側領域Ｂに区分することができる。股下領域Ｃは、左右両側にレッグ開口部６，６形成用の凹欠部が形成されている領域である。また、本おむつ１は、図２に示すように、おむつ幅方向に延びるおむつ中心線ＣＬを境にして前身頃Ｆと後身頃Ｇとに区分することができる。
【００１１】
おむつ１は、腹側領域Ａの両側縁部Ａ１，Ａ１と背側領域Ｂの両側縁部Ｂ１，Ｂ１とがヒートシール、超音波シール等の公知の接合手段により接合されて、一対のサイド接合部２３，２３、ウエスト開口部５及び一対のレッグ開口部６，６が形成されている。
【００１２】
おむつ１は、図２及び図４に示すように、吸収性本体１０と、該吸収性本体１０の外面（着用者とは反対側に向けられる面）側に位置して該吸収性本体１０を固定している外装体２０とからなる。吸収性本体１０は、縦長の形状を有しており、表面シート２、裏面シート３及び吸収体４を具備する。吸収体４は、表面シート２及び裏面シート３間に挟持固定されている。吸収性本体１０の長手方向の両側部には、一対の立体ガード１１が形成されている。立体ガード１１の自由端部には、糸状の弾性部材１１ａが長手方向に沿って伸長状態で固定されている。吸収性本体１０は、その長手方向を、展開且つ伸張状態（図２に示す状態）におけるおむつ長手方向に一致させて、外装体２０の中央部に公知の接合手段（接着剤等）により接合されている。また、吸収体４は、図２に示すように、おむつ長手方向（図２の上下方向）と同方向に長い形状を有している。
【００１３】
ここで、展開且つ伸長状態とは、サイド接合部を引き剥がして（サイド接合部がない場合は着用者の左右側部に位置するおむつ側部を切断して）、おむつを展開状態とし、その展開状態のおむつを、各部の弾性部材を伸長させて、設計寸法（弾性部材の影響を一切排除した状態で平面状に広げたときの寸法と同じ）となるまで拡げた状態をいう。本明細書に記載の各部の寸法等は、特に説明しない限り、展開且つ伸長状態のおむつについて測定する。また、おむつ幅方向中心線ＣＬとは、展開且つ伸張状態における、おむつの長手方向の全長を２等分する線であり、おむつ幅方向に延びている。
【００１４】
おむつ１は、図３に示すように、背側領域Ｂ側のウエスト端縁１５Ｂから、股下領域Ｃの幅が最小値を示す部位Ｈまでの長さＬｂと、腹側領域Ａ側のウエスト端縁１５Ａから股下領域Ｃの幅が最小値を示す部位Ｈまでの長さＬａとの比（Ｌｂ／Ｌａ）が１．４〜２．０である。
【００１５】
前記比（Ｌｂ／Ｌａ）が１．４未満であると、着座時に、背中側のズレが発生しやすくなる。特に腰が曲った高齢者の場合には大きなズレが生じやすい。また、このようなズレは、後述する後身頃湾曲弾性部材を配設すると特に促進されるため、前記比（Ｌｂ／Ｌａ）が１．４未満の場合にはその後身頃湾曲弾性部材の配設が困難となる。
他方、前記比（Ｌｂ／Ｌａ）が２．０超であると、立位時に、背中側にだぶつきが生じ、装着感が低下したり、防漏性能が低下しやすくなる。前記比（Ｌｂ／Ｌａ）は１．６〜２．０の範囲であることが座位時における背中側のズレを一層防止できるので好ましい。
【００１６】
おむつ１の前身頃Ｆにおける、吸収体４の長手方向の両側部には、切込部４１が形成されている。切込部４１の形成により、吸収体４を設計通りの形状に変形させることができ、形状安定性の良い膨らみ部を確実且つ明瞭に形成することができる。
複数の層からなる吸収体の場合は、各層のうち一層でも切込部が形成されていれば良い。ただし、膨らみ部の形成の確実性、明瞭性の観点から、切込部が形成されている層の切込部には他の層が重なっていないこと、あるいは各層の切込部が重なっていることが好ましい。切込部が重なっているときは、完全に重なっている場合と共に、ずれて重なっている場合も含む。
【００１７】
膨らみ部は、切込部が閉じるように吸収体が変形することによって、腹部ないし下腹部に対応する部位（以下、腹部対応部位ともいう）又は臀部に対応する部位（以下、臀部対応部位ともいう）が、おむつ外面側に突出して生じる立体的な膨らみ部であり、腹部対応部位に立体的な膨らみ部が形成されることで、腹部ないし下腹部に対する押圧力を低減して、良好な使用感を得ることができる。また、予め立体的な膨らみ部を形成することで、腹部ないし下腹部に対する押圧力低減を視覚的に着用者に伝達することができる。臀部対応部位についても同様に立体的な膨らみ部が形成されることにより、同様な効果が得られる。
【００１８】
切込部４１は、閉じた際にシワの発生が少ないことから、切込部４１の開口部４２から先端部（最深部）４３に向かうにつれて漸次幅が減少する形状であることが好ましく、平面視して略Ｖ字状（あるいは略Ｕ字状）であることがより好ましい。後述する切込部４１Ａも同様である。切込部が閉じた状態とは、自然状態で完全あるいはほぼ完全に閉じる場合に限られず、切込部を挟んで相対向する一対の側縁間の距離が短くなる場合も含まれる。ここで自然状態とは、パンツ型使い捨ておむつに外部から引っ張るなどの余計な力を加えていない状態であることを意味する。
【００１９】
おむつ１における切込部４１は、おむつ長手方向において、おむつの幅が最小となる部位Ｈよりも、前身頃Ｆのウエスト端縁１５Ａ側に形成されている。より具体的には、腹側領域Ａと股下領域Ｃとの境界線から腹側領域Ａ側に２０ｍｍの位置から、該境界線から股下領域Ｃ側に４０ｍｍの位置までの範囲内に形成されている。
また、切込部４１は、おむつ長手方向中心線ＴＬ（図２参照）に対して、左右対称に一対形成されている。尚、本おむつ１において吸収体４が最小幅となる部位は、おむつの幅が最小となる部位Ｈとほぼ同一の箇所となっており、そこから、その前後に向かうに従って吸収体の幅が増大している。
【００２０】
おむつ１においては、図２に示すように、後身頃Ｇにおける吸収体４の長手方向の両側部にも切込部４１Ａが形成されている。後身頃Ｇの切込部４１Ａは、背側領域Ｂと股下領域Ｃとの境界線から背側領域Ｂ側に２０ｍｍの位置から、該境界線から股下領域Ｃ側に４０ｍｍの位置までの範囲内に形成されている。尚、切込部は、おむつ１のように、前身頃Ｆ及び後身頃Ｇの両方に設けることが好ましいが、前身頃Ｆ及び後身頃Ｇのいずれか一方のみに設けることもできる。切込部は、少なくとも前身頃Ｆに設けることが好ましい。
【００２１】
切込部４１は、不規則なシワの発生を防止しつつ、腹部対応部位に、立体的な膨らみ部を確実且つ明瞭に形成させる観点から、開口部４２の開口幅Ｗ（図５参照）が５〜８０ｍｍであることが好ましく、より好ましくは１０〜５０ｍｍである。また、同様の観点から、切込部の長さＬ（図５参照）は、１０〜１００ｍｍであることが好ましく、より好ましくは１５〜５０ｍｍである。
ここで、開口部の開口幅Ｗとは、図５に示すように、切込部４１に隣接してそのおむつ幅方向外側に位置する、吸収体の切込部隣接部４４における前記中心線ＣＬ側の端点を点Ｐとし、該点Ｐを通る、前記中心線ＣＬと平行な直線（おむつを横方向に横切る直線）ＷＬと交わる吸収体側縁上の点のうち、点Ｐよりもおむつ幅方向内側に位置し且つ最も点Ｐに近接する点を点Ｑとしたときに、点Ｐと点Ｑを結んだ線分ＰＱの長さをいう。本おむつ１における切込部隣接部４４は、中心線ＣＬに向かって凸の形状を有している。
切込部の長さＬとは、先端部４３と線分ＰＱの最短距離をいう。
【００２２】
先端部４３、切込部隣接部４４、点Ｐは複数存在しても良く、複数存在する場合には、複数の点それぞれについて開口幅Ｗと切込部の長さＬを測定する。この場合、少なくとも一部のＷ，Ｌが前記数値を満たせば良いが、不規則なシワの発生を防止しつつ、腹部対応部位に、立体的な膨らみ部を確実且つ明瞭に形成させる観点から、全てのＷ，Ｌが前記数値を満たすことが好ましい。図６（ｂ）及び（ｃ）に、先端部４３、切込部隣接部４４及び点Ｐが、それぞれ２つ存在する場合の例を示した。尚、これらの図においては、一方の先端部４３、切込部隣接部４４及び点Ｐを、符号４３’、切込部隣接部４４’及び点Ｐ’としてある。
【００２３】
また、切込部４１は、不規則なシワの発生を防止しつつ、腹部対応部位に、立体的な膨らみ部を形成させる観点から、おむつ長手方向に延びる直線ＴＬ’（おむつ長手方向中心線ＴＬ又はその平行線）に対するその中心線４１ａの角度θ〔図５（ａ）参照〕が０〜７５度、特に０〜４５度であることが好ましい。ここで、切込部４１の中心線４１ａは、線分ＰＱの中点と切込部４１の先端部４３を通る直線とし、該直線がおむつ長手方向中心線ＴＬと平行な場合は、おむつ長手方向に延びる直線ＴＬ’に対する角度θが０度とする。また、切込部４１は、図６（ａ）に示すように、前身頃Ｆのウエスト端縁１５Ａに近づくにつれて、おむつ長手方向中心線ＴＬに近づくように傾斜していても良いし、図６（ｄ）に示すように、前身頃Ｆのウエスト端縁１５Ａに近づくにつれて、おむつ長手方向中心線ＴＬから離れるように傾斜していても良いが、何れの場合も、図５（ａ）に示すように、切込部４１の中心線４１ａとおむつ長手方向に延びる直線ＴＬ’との交差部に生じる大小２つの角度の内の鋭角の方の角度を、切込部４１の中心線４１ａの角度θとする。
【００２４】
後身頃Ｇにおける吸収体４の長手方向の両側部にも切込部４１Ａが形成されているが、臀部と腹部の形状の違いを考慮すると、後身頃Ｇの切込部４１Ａの中心線４１ｂの角度θ２〔図５（ｂ）参照〕は、前身頃Ｆの切込部４１の中心線の角度θよりも大きいことが好ましい。θ２は３０〜７０度、特に３０〜６０度であることが好ましい。
【００２５】
外装体２０は、図４に示すように、おむつ１の外表面（着用者とは反対側に向けられる面）を形成している外層シート２１と、該外層シート２１に隣接してその内側に積層接着された内層シート２２とを具備し、これら両シート間に、各部の弾性部材５１，５２，６１，６２，７１，７２，８１，８２が、ホットメルト型接着剤等の接着剤を用いて伸張状態で固定されている。
【００２６】
図２に示すように、前身頃Ｆのウエスト端縁１５Ａの近傍５Ａには、おむつ幅方向に沿ってウエスト弾性部材５１が伸張状態で配されている。ウエスト弾性部材５１は、前身頃Ｆの全幅に亘って配されている。ウエスト弾性部材５１は、互いに平行に複数本配されている。
また、後身頃Ｇのウエスト端縁１５Ｂの近傍５Ｂにも、同様に、おむつ幅方向に沿って複数本のウエスト弾性部材５２が互いに平行に且つ伸長状態で配されている。そして、これらのウエスト弾性部材５１，５２により、ウエスト開口部５の周囲に、実質的にその全周に亘るウエストギャザーが形成されている。
【００２７】
また、図２に示すように、おむつ１の前身頃Ｆ及び後身頃Ｇそれぞれのウエスト弾性部材５１，５２よりもおむつ幅方向中央線ＣＬ側（図１に示す状態においては下方側）には、おむつ幅方向の両端部におけるよりもおむつ幅方向中央部側においておむつ幅方向中央線ＣＬに近づくように、それぞれ湾曲させて、前身頃湾曲弾性部材７１及び後身頃湾曲弾性部材７２が配されている。
前身頃湾曲弾性部材７１及び後身頃湾曲弾性部材７２は、それぞれ、複数本配されていることが好ましい。
前身頃湾曲弾性部材７１及び後身頃湾曲弾性部材７２は、おむつ幅方向中央部付近における相互の最近接部においてもおむつ長手方向に５０ｍｍ以上離間している。この点において、前身頃及び後身頃の両湾曲弾性部材７１，７２は、それぞれ、レッグ開口部近傍にレッグ開口部を脚回りにフィットさせるための後述するレッグ弾性部材６１，６２とは明らかに異なるものである。
【００２８】
前身頃湾曲弾性部材７１及び後身頃湾曲弾性部材７２は、それぞれ左右に分割されて配されており、それぞれの分割された各部分の平面視形状が、直線状、曲線状及びこれらの組み合わた形状の何れであっても良いが、本実施形態におけるように曲線状であることが好ましく、サインカーブの１／２〜１／４周期分の曲線状であることがより好ましい。
前身頃湾曲弾性部材７１及び後身頃湾曲弾性部材７２は、左右の分割部分を合わせた形状が、サインカーブ一周期分の形状と略同一の形状とされていることが、引き上げ容易性及び高齢者体形へのフィット性の観点から好ましい。
【００２９】
本実施形態のおむつ１においては、前身頃Ｆにおけるウエスト弾性部材５１と前身頃湾曲弾性部材７１との間におむつ幅方向に沿って前身頃第２弾性部材８１が配されており、後身頃Ｇにおけるウエスト弾性部材５２と後身頃湾曲弾性部材７２との間におむつ幅方向に沿って後身頃第２弾性部材８２が配されている。前身頃湾曲弾性部材７１は、前身頃第２弾性部材８１と交差していないことが好ましく、後身頃湾曲弾性部材７２も後身頃第２弾性部材８２と交差していないことが好ましい。
【００３０】
これらの第２弾性部材８１，８２は、着用時に着用者の腸骨の高さと略同じ高さに位置するように設計されており、これらの弾性部材８１，８２が腸骨に引っかかるために効果的にズレ落ちが防止される。
他方、これらの第２弾性部材８１，８２の各々が、前身頃湾曲弾性部材７１及び後身頃湾曲弾性部材７２と交差しないことにより、前身頃湾曲弾性部材７１の伸縮力を後身頃湾曲弾性部材７２に効率よく伝達することが可能である。「交差した場合」には、交差部で異なる方向の力が干渉しあうことで引き上げ方向の力が緩和され、効率的な引き上げ力の伝達が阻害されてしまう。また、「交差しない」ことにより、均−の装着圧を、達成できるため（伸縮部材の収縮力が集中してしまうための過度のしめつけを防止できるため）、装着感の観点からも好ましい効果を発揮する。
【００３１】
尚、前身頃におけるウエスト弾性部材５１と前身頃第２弾性部材８１との間に形態的な差がない場合、大人用のおむつの場合には、ウエスト開口部の周縁端から幅４０ｍｍの範囲内に配された弾性部材をウエスト弾性部材とし、それより下方（中央線ＣＬに近づく方向）に配された弾性部材を、前身頃第２弾性部材８１とする。後身頃におけるウエスト弾性部材５２と後身頃第２弾性部材８２との区別も同様である。幼児用おむつの場合は、前記の４０ｍｍを３０ｍｍに変更する。
【００３２】
おむつ１における、着用者の脚周りに配される部位である左右のレッグ部６Ａそれぞれには、第１及び第２のレッグ弾性部材６１，６２が配されている。これらのレッグ弾性部材６１，６２は、股下領域において重なるか又は近接しており、これらの弾性部材により、レッグ開口部６それぞれの開口周縁部に、実質的にその全周に亘って実質的に連続するレッグギャザーが形成されている。
レッグ部のフィット性をレッグ弾性部材により向上させつつ、引き上げ性を阻害しないようにする観点から、前身頃湾曲弾性部材７１及び後身頃湾曲弾性部材７２とこれらのレッグ弾性部材６１，６２とは交差していないことが好ましい。
【００３３】
また、レッグ弾性部材６１，６２は、着用者が装着時に前身頃湾曲弾性部材７１及び後身頃湾曲弾性部材７２と混同し、足の入れ場所に迷うことが無いように、前身頃湾曲弾性部材７１又は後身頃湾曲弾性部材７２と、色や幅、それらの組み合わせ等によって、視覚的に識別可能になされていることが好ましい。また、前身頃湾曲弾性部材７１及び後身頃湾曲弾性部材７２とは、不織布間に挟まれて保持されていることが、収縮力を阻害せず優れた引き上げ性を達成でき、かつ、通気性、柔軟性にも優れて装着感も向上するため好ましい。
【００３４】
おむつ１においては、前身頃及び後身頃のウエスト弾性部材５１，５２が配されたウエスト回り環状弾性領域５０、前身頃湾曲弾性部材７１及び後身頃湾曲弾性部材７２が配された胴回り湾曲環状弾性領域７０、前身頃第２弾性部材８１及び後身頃第２弾性部材８２が配された胴回り第２環状弾性領域８０、及びレッグ弾性部材６１，６２が配された一対の脚回り環状弾性領域６０を、それぞれ、自然状態から１．５倍の長さまで伸長させたときの引張荷重が、順に、４Ｎ以下、２Ｎ以下、３Ｎ以下、２Ｎ以下である。各弾性領域を、図７に示す。
【００３５】
おむつ１は、前述した比（Ｌａ／Ｌｂ）を上記の範囲に設定し、また、吸収体に切込部を設け、更に各弾性領域がこのような伸長特性を有することで、身体にフィットし、上げ下げし易いのに、装着中のズレ落ちが小さいおむつとなっている。
【００３６】
前記各弾性領域の引張荷重は、サイド接合部２３，２３を引き剥がすことなく（サイド接合部の一方又は双方が元々ない場合は着用者の左右側部に位置するおむつ側部を切断することなく）、環状のサンプルを切り出して測定する。
例えば、ウエスト回り環状弾性領域５０の引張荷重は、以下のようにして測定する。前身頃Ｆにおけるウエスト弾性部材５１が配された領域５０Ｆと、後身頃Ｇにおけるウエスト弾性部材５２が配された領域５０Ｇとを、両者が環状に連結された状態のまま切り出し、図１０に示すように、その環状のサンプルＳを、一対のＵ字状の治具１００，１００間に架け渡すようにして、引張試験機（例えば、オリエンテック社製の「ＲＴＡ−１００」等）のチャック１１０，１１０間に固定する。サンプルＳの初期状態の長さａ（図１０参照）は、環状のサンプルＳを自然に収縮させた状態（自然状態、外力を加えない状態）における該サンプルＳの周長の１／２の長さとする。そして、チャック１１０，１１０間に固定したサンプルＳを、初期状態の長さａに対して１．５倍の長さとなるまで伸長させ、そのときの荷重を、１．５倍伸長時の引張荷重とする。
【００３７】
胴回り湾曲環状弾性領域７０の引張荷重は、前身頃Ｆにおける前身頃湾曲弾性部材７１が配された領域７０Ｆと、後身頃Ｇにおける後身頃湾曲弾性部材７２が配された領域７０Ｇとを、両者が環状に連結された状態のまま切り出してサンプルとする以外は、ウエスト回り環状弾性領域５０の引張荷重の測定と同様にして測定する。
胴回り第２環状弾性領域８０の引張荷重は、前身頃Ｆにおける前身頃第２弾性部材８１が配された領域８０Ｆと、後身頃Ｇにおける後身頃第２弾性部材８２が配された領域とを、両者が環状に連結された状態のまま切り出してサンプルとする以外は、ウエスト回り環状弾性領域５０の引張荷重の測定と同様にして測定する。
【００３８】
脚回り環状弾性領域６０の引張荷重は、レッグ弾性部材６１が配された領域とレッグ部弾性部材６２が配された領域とが、環状に連結された状態のまま切り出してサンプルとする以外は、ウエスト回り環状弾性領域５０の引張荷重の測定と同様にして測定する。脚回り環状弾性領域６０は、左右のレッグ開口部それぞれからサンプルを得るので、２本のサンプルが得られるが、脚回り環状弾性領域６０がある条件を満たしていると言えるためには、何れのサンプルについて測定した場合も当該条件を満たしている必要がある。例えば、脚回り環状弾性領域の１．５倍伸長時の引張荷重は、何れのサンプルについて測定した場合も２Ｎ以下である。
【００３９】
前述したウエスト回り環状弾性領域５０、胴回り湾曲環状弾性領域７０、胴回り第２環状弾性領域８０及びレッグ部弾性部材６０それぞれの前記引張荷重が、前述の範囲内であると、おむつ全体を容易に上げ下げできるようになる。
上げ下げを容易にする観点から、前記各弾性領域５０、７０、８０及び６０の引張荷重を、前述の値以下に設定するが、防漏性の向上及びズレ落ちの防止の観点から、ウエスト回り環状弾性領域５０の前記引張荷重（１）、胴回り湾曲環状弾性領域７０の前記引張荷重（２）、胴回り第２環状弾性領域８０の前記引張荷重（３）、及び脚回り環状弾性領域６０の前記引張荷重（４）は、下記式に示す関係を満たすことが好ましい。
（１）＞（３）＞（２）≧（４）
【００４０】
おむつ全体の上げ下げの容易性及びズレ落ち防止性の向上の観点から、ウエスト回り環状弾性領域５０の前記引張荷重（１）は、１〜４Ｎであることが好ましく、胴回り湾曲環状弾性領域７０の前記引張荷重（２）は、０．５〜２Ｎであることが好ましく、胴回り第２環状弾性領域８０の前記引張荷重（３）は、１〜３Ｎであることが好ましく、脚回り環状弾性領域６０の前記引張荷重（４）は、０．５〜２Ｎであることが好ましい。
前記引張荷重（１）の、前記引張荷重（３）に対する比（(１)／(３)）は、１．１〜４であることが好ましく、前記引張荷重（３）の、前記引張荷重（２）に対する比（(３)／(２)）は、１．１〜６であることが好ましく、前記引張荷重（２）の、前記引張荷重（４）に対する比（(２)／(４)）は、１〜４であることが好ましい。
【００４１】
おむつ１においては、図３に示すように、後身頃湾曲弾性部材７２のおむつ長手方向の最大変位距離Ｌｄが、前身頃湾曲弾性部材７１のおむつ長手方向の最大変位距離Ｌｃよりも大きい。
前身頃湾曲弾性部材７１のおむつ長手方向の最大変位距離Ｌｃとは、前身頃湾曲弾性部材７１の、おむつ幅方向中央線ＣＬに最も近い位置とおむつ幅方向中央線ＣＬから最も遠い位置との間の距離（離間距離ともいう）を、おむつ長手方向に沿って測定した距離である。本実施形態のように、前身頃湾曲弾性部材７１が複数本存在する場合には、各前身頃湾曲弾性部材７１について前記離間距離を測定し、それらの中で最も前記離間距離が長いものの該離間距離を最大変位距離とする。後身頃湾曲弾性部材７２のおむつ長手方向の最大変位距離Ｌｄについても同様である。本実施形態においては、図３に示すように、３本の前身頃湾曲弾性部材７１が互いに平行に配されており、それらは前記離間距離が等しいため、そのうちの一本の前身頃湾曲弾性部材７１ａについての離間距離を最大離間距離Ｌｃとして示してある。また、３本の後身頃湾曲弾性部材７２が互いに平行に配されており、それらは前記離間距離が等しいため、そのうちの一本の後身頃湾曲弾性部材７２ａについての離間距離を最大離間距離Ｌｄとして示してある。
【００４２】
尚、最大変位距離Ｌｃ，Ｌｄの測定においては、前身頃湾曲弾性部材７１又は後身頃湾曲弾性部材７２のうち、おむつの収縮に寄与しない部分、例えば、収縮力が発現しない状態にされている部分は、前身頃湾曲弾性部材７１又は後身頃湾曲弾性部材７２の一部とは考えない。
【００４３】
本実施形態のおむつ１によれば、後身頃湾曲弾性部材７２の前記最大変位距離Ｌｄが、前身頃湾曲弾性部材７１の前記最大変位距離Ｌｃよりも大きいため、図８（ａ）に示すように、前身頃Ｆの上端部近傍を手に持って引っ張り上げたときに、前身頃湾曲弾性部材７１と後身頃湾曲弾性部材７２とが、おむつの側縁近傍において略直線状となり、前身頃湾曲弾性部材７１の伸縮力が後身頃湾曲弾性部材７２に良好に伝達され、それにより、後身頃Ｇ側が効率よく引っ張られて上方に向かって引き上げられる。このように、前身頃Ｆを持って引き上げることにより、おむつ全体を容易に引き上げることができる。
また、おむつ１を着用した状態においては、図８（ｂ）に示すように、弾性部材７１，７２の収縮作用によって、おむつが、着用者の下腹部及び臀部の形状に沿った形状に変形して、それらに良好にフィットするため、違和感を与えにくく、良好な装着感を与えることができる。
【００４４】
また、前身頃湾曲弾性部材７１及び後身頃湾曲弾性部材７２がそれぞれおむつ幅方向中央部に向かうに連れておむつ幅方向中央線ＣＬに近づくように湾曲している。これらの弾性部材７１，７２は、着用者の腹部及び臀部の比較的下部にフィットしやすく、特に高齢者においては、図８（ｂ）に示すように、腹部及び臀部それぞれの最大突出部Ｆ１及び臀部の最大突出部Ｇ１それぞれを下方から支持するように、おむつをフィットさせることができ、従来の大人用のパンツ型の使い捨ておむつにおいて発生していた腹部や臀部の過度の締め付けを防止しつつ、おむつの側部においては、着用者に良好にフィットさせることができる。
【００４５】
前身頃湾曲弾性部材７１の前記最大変位距離Ｌｃは、引き上げ力の伝達性および下腹部形状へのフィット性の観点から２０〜９０ｍｍが好ましく、４０〜６０ｍｍがより好ましい。後身頃湾曲弾性部材７２の前記最大変位距離Ｌｄは、引き上げ力の被伝達性および臀部形状へのフィット性の観点から１０５〜１７５ｍｍが好ましく、１２５〜１４５ｍｍがより好ましい。前身頃および後身頃の最大離間距離の差（Ｌｄ−Ｌｃ）は、引き上げ力の伝達性の観点から５０〜１２０ｍｍが好ましく、７０〜１００ｍｍがより好ましい。
【００４６】
本実施形態のおむつ１においては、上述したように、前身頃Ｆに、ウエスト弾性部材５１、前身頃湾曲弾性部材７１及び前身頃第２弾性部材８１が配され、後身頃Ｇに、ウエスト弾性部材５２、後身頃湾曲弾性部材７２及び後身頃第２弾性部材８２が配されており、レッグ部６０それぞれに、第１及び第２のレッグ弾性部材６１，６２が配されているが、これらの弾性部材は、それぞれ、少なくとも２本以上配されていることが好ましく、また、前身頃Ｆ及び後身頃Ｇそれぞれにおいて、上記４つの弾性部材〔ウエスト部弾性部材５１(５２)、前身頃湾曲弾性部材７１（後身頃湾曲弾性部材７２）、前身頃第２弾性部材８１（後身頃第２弾性部材８２）、及びレッグ弾性部材６１，６２〕間では、どれもが交差していないことが好ましい。
【００４７】
前身頃Ｆ及び後見頃Ｇにおいて、これら４つの弾性部材間で、どれもが交差しないことにより、後見頃Ｇの各弾性部材の伸縮力を前身頃Ｆの各弾性部材に効率よく伝達することが可能である。「交差した場合」には、交差部で異なる方向の力が干渉しあうことで引き上げ方向の力が緩和され、効率的な引き上げ力の伝達が阻害されてしまう。また、「交差しない」ことにより、均−の装着圧を、達成できるため（伸縮部材の収縮力が集中してしまうための過度のしめつけを防止できるため）、装着感の観点からも好ましい効果を発揮する。
【００４８】
本実施形態のおむつ１における前身頃湾曲弾性部材７１及び後身頃湾曲弾性部材７２、及びレッグ弾性部材６１，６２はそれぞれ、おむつ幅方向に分割された状態に配されており、吸収体４の幅方向中央部と重なる部分には、これらの弾性部材７１，７２、６１，６２が存在していない。
吸収体の一部と重なる部分、特に吸収体の幅方向中央部と重なる部分に弾性部材７１，７２、６１，６２を存在させないことにより、肌と吸収体との過度の摩擦により引き上げ性が阻害されることを防止して、引き上げ容易性を向上させることができる。吸収体の一部と重なる部分に弾性部材７１，７２、６１，６２を存在させない構成に代えて、吸収体の一部と重なる部分における弾性部材７１，７２、６１，６２を収縮力を発現しない状態とすることによっても同様の効果が得られる。前身頃湾曲弾性部材７１及び後身頃湾曲弾性部材７２、及び、レッグ弾性部材６１，６２の収縮力を発現しない状態とする方法としては、弾性部材７１，７２、６１，６２を細かく切断する方法が挙げられる。
【００４９】
弾性部材７１，７２、６１，６２が存在しない部分又は弾性部材７１，７２、６１，６２が収縮力を発現しない部分は、吸収体の全幅の１／２以上であることが好ましく、全幅で収縮しないことがより好ましい。ここでいう全幅は、前身頃湾曲弾性部材７１については、おむつの長手方向において、前身頃湾曲弾性部材７１の左右に分割された各部分それぞれのおむつ幅方向中央側の端部の位置と同位置における吸収体４の幅であり、後身頃湾曲弾性部材７２については、おむつの長手方向において、後身頃湾曲弾性部材７２の左右に分割された各部分それぞれのおむつ幅方向中央側の端部の位置と同位置における吸収体４の幅であり、レッグ弾性部材６１，６２については、おむつの長手方向において、レッグ弾性部材６１、６２の左右に分割された各部分それぞれのおむつ幅方向中央側の端部の位置と同位置における吸収体４の幅である。
【００５０】
本実施形態のおむつ１における吸収体４は、２層以上の吸収材からなるもであっても良い。この場合における好ましい吸収体４は、図９に示すように、第１吸収材１４１と、吸収体４の厚み方向において第１吸収材１４１より肌当接面側に位置する第２吸収材１４６とを具備し、第１吸収材１４１及び第２吸収材１４６は、それぞれ、長手方向の両側部に２対の層切込部１４２，１４３，１４７，１４８を有し、且つ第１吸収材１４１の層切込部１４２，１４３と第２吸収材１４６の層切込部１４７，１４８とがそれぞれの少なくとも一部において重なって切込部（閉鎖用開口領域）１４０，１４５を形成しており、各切込部１４０，１４５の縁部から該縁部に直交する方向の吸収体内部方向に向かって吸収材１４１，１４６の層数が増加するようにされている。尚、第１吸収材１４１及び第２吸収材１４６それぞれの長手方向は、吸収体４の長手方向と同じ方向（図９において上下方向）とする。図９中、４Ａ，４Ｂ，４Ｃは、吸収体４の長手方向の全長Ｌ４を３等分して３領域に区分したときの各領域である。
【００５１】
例えば、図９に示す吸収体４におけるように、第１吸収材１４１の層切込部１４２，１４３と第２吸収材１４６の層切込部１４７，１４８とがそれぞれの少なくとも一部において重なって形成された切込部１４０，１４５を有すると、吸収体４が、吸収性物品に配された弾性部材の収縮作用等により、各切込部又はその近傍において屈曲して容易に立体形状に変形する。そして、そのように変形しても、切込部１４０，１４５を挟んで存在する、第１吸収材１４１又は第２吸収材１４６の縁部同士がぶつかることが防止されるため、吸収体４に不規則なシワが生じることを防止でき、着用者等に違和感を与えることを防止することができる。第１吸収材１４１の切込部の縁部が、第２吸収材１４６の切込部の縁部より後退した位置に位置している場合には、吸収体４が立体形状に変形した際に第２吸収材１４６の縁部同士がぶつかりやすい状態になるが、ぶつかっても、吸収材の層数がすくない部分がぶつかるため、吸収体４に不規則なシワが生じることを防止でき、着用者等に違和感を与えることを防止することができる。
【００５２】
切込部１４０，１４５は、相対向する一対の縁部の一方又は両方の側において、第２吸収材１４６の層切込部の縁部が、第１吸収材１４１の層切込部の縁部より後退した位置に位置していることが好ましく、相対向する一対の縁部の両方の側において、第２吸収材１４６の層切込部の縁部が、第１吸収材１４１の層切込部の縁部より後退した位置に位置していることがより好ましい。
【００５３】
上述した実施形態のおむつ１における各部の形成材料について説明する。表面シート２、裏面シート３、吸収体４、立体ガード１１、外層シート２１及び内層シート２２等の形成材料としては、従来の使い捨ておむつ等において用いられている各種の材料を用いることができる。例えば、吸収体４としては、親水性繊維の集合体又はこれに高吸水性ポリマーを保持させてなるもの等を用いることができる。このような吸収体としては、パルプ繊維の積繊物やパルプ繊維と高吸水性ポリマーとの混合積繊物等を用いることができるが、このような積繊物に、アセテートトウなどの繊維を含ませたり、このような積繊物と紙や不織布等を組み合わせて吸収体とすることもできる。上述したおむつ１における切込部４１，４１Ａは、吸収体４の構成材料である親水性繊維の集合体の一部を切り欠いて形成してある。吸収体４は、親水性繊維の集合体又はこれに高吸水性ポリマーを保持させてなる吸収性コアの表面を、液透過性の薄紙や不織布で被覆してあるものであっても良く、切込部が閉鎖した状態は、切込部を挟んで相対向する吸収性コアの部分同士が直接接触していても良いし、薄紙や不織布を介在した状態で互いに密着していても良い。
【００５４】
前記弾性部材５１，５２，６１，６２，７１，７２，８１，８２の形成材料としては、使い捨ておむつ等に用いられる各種公知の弾性材料を用いることができ、例えば素材としては、スチレン−ブタジエン、ブタジエン、イソプレン、ネオプレン等の合成ゴム、天然ゴム、ＥＶＡ、伸縮性ポリオレフィン、ウレタン等の伸縮性の素材を広く用いることができ、例えば形態としては、断面が矩形、正方形、円形、多角形状、マルチフィラメントタイプ等の、糸状や紐状のもの、或いは帯状のもの等を用いることができる。
【００５５】
以上、本発明の好ましい実施形態について説明したが、本発明は、上述した実施形態に制限されない。
例えば、本発明の使い捨ておむつは、成人用のパンツ型使い捨ておむつ、特に高齢女性用に適しているが、幼児用のおむつとして用いることもできる。
【図面の簡単な説明】
【００５６】
【図１】図１は、本発明の一実施形態としてのパンツ型使い捨ておむつを、その前身頃側から見た状態を示す斜視図である。
【図２】図２は、図１のパンツ型使い捨ておむつの展開且つ伸張状態を示す平面図である。
【図３】図３は、図２から吸収性本体を除去した状態を示す平面図である。
【図４】図４は、図２のＸ−Ｘ線断面図である。
【図５】図５（ａ），（ｂ）は、図２の一部を拡大して示す模式平面図である。
【図６】図６は、本発明の他の実施形態における切込部を示す模式図である。
【図７】図７は、ウエスト回り環状弾性領域、胴回り湾曲環状弾性領域、胴回り第２環状弾性領域及び脚回り環状弾性領域を説明するための説明図である。
【図８】図８は、本発明の作用効果を説明する図であり、図８（ａ）は、前身頃を持っておむつを引き上げる状態を示す側面図であり、８（ｂ）は、おむつを着用した状態を示す側面図である。
【図９】図９は、本発明において好ましく用いられる吸収体を示す図であり、図９（ａ）は、第２吸収材側から見た状態を示す平面図、図９（ｂ）は、第２吸収材のみを示す平面図、図９（ｃ）は、第１吸収材のみを示す平面図である。
【図１０】は、各弾性領域の引張荷重の測定方法を示した図である。
【符号の説明】
【００５７】
１    パンツ型使い捨ておむつ
２    表面シート
３    裏面シート
４    吸収体
４１  切込部
５    ウエスト開口部
５０  ウエスト回り環状弾性領域
５１  前身頃のウエスト弾性部材
５２  後身頃のウエスト弾性部材
６    レッグ開口部
６Ａ  レッグ部
６０  脚回り環状弾性領域
６１  第１のレッグ弾性部材
６２  第２のレッグ弾性部材
７０  胴回り湾曲環状弾性領域
７１  前身頃湾曲弾性部材
７２  後身頃湾曲弾性部材
８０  胴回り第２環状弾性領域
８１  前身頃第２弾性部材
８２  後身頃第２弾性部材
Ａ    腹側領域
Ｂ    背側領域
Ｃ    股下領域
Ｆ    前身頃
Ｇ    後身頃
【図１】
2007195738.tif 000003
【図２】
2007195738.tif 000004
【図３】
2007195738.tif 000005
【図４】
2007195738.tif 000006
【図５】
2007195738.tif 000007
【図６】
2007195738.tif 000008
【図７】
2007195738.tif 000009
【図８】
2007195738.tif 000010
【図９】
2007195738.tif 000011
【図１０】
2007195738.tif 000012